(57)【要約】【課題】一端部が壁部内に埋設固定された片持ち状態の複数個の踏板を備えてなる階段構造において、厚さの薄い壁部に踏板を片持ち状態で設ける場合にも階段構造全体の強度を十分に確保することができると共に、階段構造全体の強度の視覚的な不足感による不安感が生じ難い階段構造を提供すること。【解決手段】一端部３１が壁部２内に埋設固定された片持ち状態の複数個の踏板３を備えてなる階段構造において、複数個の前記踏板３それぞれは、前記壁部２の壁面２１の外側の位置で且つ該踏板３の一端部３１から他端部３２方向に該踏板３の全長の１／２以内の位置で、踏板支持体４により下方から支持されており、前記壁面２１に対し、前記踏板支持体４における反対側の面は、前記壁面２１と平行に立設された第１被覆パネル５１により被覆されている。【選択図】図３
2006132240.tif 000002
【特許請求の範囲】
【請求項１】
一端部が壁部内に埋設固定された片持ち状態の複数個の踏板を備えてなる階段構造において、
複数個の前記踏板それぞれは、前記壁部の壁面の外側の位置で且つ該踏板の一端部から他端部方向に該踏板の全長の１／２以内の位置で、踏板支持体により下方から支持されており、
前記壁面に対し、前記踏板支持体における反対側の面は、前記壁面と平行に立設された第１被覆パネルにより被覆されている階段構造。
【請求項２】
前記踏板支持体は、その下端が床面で支持されている請求項１記載の階段構造。
【請求項３】
前記壁部を構成する複数の縦芯材における隣接する該縦芯材間に、縦方向に前記踏板の板厚に対応して離間した一対の支持部材が前記踏板支持体に対応して設けられており、前記踏板は、その前記一端部が該一対の支持部材間に挟持固定されている請求項１又は２に記載の階段構造。
【請求項４】
前記壁面と前記踏板支持体との間に亘り前記踏板とその下段の前記踏板との間は、第２被覆パネルにより被覆されている請求項１〜３の何れかに記載の階段構造。
【発明の詳細な説明】
【技術分野】
【０００１】
本発明は、一端部が壁部内に埋設固定された片持ち状態の複数個の踏板を備えてなる階段構造に関する。
【背景技術】
【０００２】
下記特許文献１には、一端部が壁部内に埋設固定された片持ち状態の複数個の踏板（段板）を備えてなる階段構造が開示されている。このような階段構造においては、すっきりとした外観を有し、美感性に優れていると共に、ささら桁がなく省スペース化が図られている。
【０００３】
【特許文献１】特開２００３−１７６６０９号公報
【発明の開示】
【発明が解決しようとする課題】
【０００４】
しかし、踏板が、壁部内に埋設固定された一端部のみで支持されている階段構造においては、階段構造全体の強度を確保するには、壁部や踏板の構造に工夫をする必要がある。例えば、特許文献１記載の階段構造においては、金属を主体とした踏板を用いることにより階段構造全体の強度を確保しており、木製の踏板を用いることは強度的に極めて困難である。壁部が厚い場合には、踏板の一端部の埋設深さを深くすることで階段構造全体の強度を向上できるが、間仕切り壁のように通常厚さの薄い壁部の場合には、そのような構造を採用することができない。
また、特許文献１記載の階段構造においては、階段構造全体の強度を十分に確保できたとしても、片持ち状態の踏板の見た目に起因する階段構造全体の強度の視覚的な不足感により、階段を昇降する者に不安感を与えがちであり、この不安感を除去することも望まれている。
【０００５】
従って、本発明の目的は、一端部が壁部内に埋設固定された片持ち状態の複数個の踏板を備えてなる階段構造において、厚さの薄い壁部に踏板を片持ち状態で設ける場合にも階段構造全体の強度を十分に確保することができると共に、階段構造全体の強度の視覚的な不足感による不安感が生じ難い階段構造を提供することにある。
【課題を解決するための手段】
【０００６】
本発明は、一端部が壁部内に埋設固定された片持ち状態の複数個の踏板を備えてなる階段構造において、複数個の前記踏板それぞれは、前記壁部の壁面の外側の位置で且つ該踏板の一端部から他端部方向に該踏板の全長の１／２以内の位置で、踏板支持体により下方から支持されており、前記壁面に対し、前記踏板支持体における反対側の面は、前記壁面と平行に立設された第１被覆パネルにより被覆されている階段構造を提供することにより、上記目的を達成したものである。
【発明の効果】
【０００７】
本発明の階段構造によれば、一端部が壁部内に埋設固定された片持ち状態の複数個の踏板を備えてなる階段構造において、厚さの薄い壁部に踏板を片持ち状態で設ける場合にも階段構造全体の強度を十分に確保することができると共に、階段構造全体の強度の視覚的な不足感による不安感が生じ難い。
【発明を実施するための最良の形態】
【０００８】
以下、本発明の階段構造を、その好ましい一実施形態について図面を参照しながら説明する。
本実施形態の階段構造１は、図１〜図５に示すように、一端部３１が壁部２内に埋設固定された片持ち状態の複数個の踏板３を備えてなる階段構造において、複数個の踏板３それぞれは、壁部２の壁面２１の外側の位置で且つ踏板３の一端部３１から他端部３２方向に踏板３の全長の１／２以内の位置で、踏板支持体４により下方から支持されており、壁面２１に対し、踏板支持体４における反対側の面４Ａ（図７参照）は、壁面２１と平行に立設された第１被覆パネル５１により被覆されている。
【０００９】
本実施形態の階段構造について詳述する。本実施形態の階段構造１は、図１〜図４に示すように、木造住宅における壁部２の壁面２１に複数個の踏板３が設けられてなる直階段であり、各踏板３は、一端部３１が壁部２内に埋設固定され、他端部３２が自由端の片持ち状態となっている。
壁部２は、耐力壁の間仕切り壁で、図４及び図５に示すように、平行して立設する複数の縦芯材２２及び壁面２１を形成する壁パネルを主体として構成されている。
尚、図５においては、壁面２１を形成する壁パネル及び第１被覆パネル５１（詳細は後述）の図示を省略している。
【００１０】
複数の縦芯材２２は、図５〜図９に示すように、矩形断面を有する長尺板材で、幅広の面をそれぞれ対向させて等間隔で配列されている。縦芯材２２の下端は、縦芯材２２の配列方向に亘る下芯材２３により連結されている。壁部２には、縦芯材２２及び壁面２１を形成する壁パネル以外にも、通常の壁部と同様に、横芯材、上芯材（縦芯材の上面を連結する芯材）、筋かい等の構造材や、断熱材等（何れも図示せず）が適宜設けられる。
【００１１】
壁パネルは、壁部２の壁面２１を形成し得るものであれば、１枚の板材や、枠組に化粧板を貼り付けたもの等種々のものを用いることができる。壁パネルは、壁部２における踏板３の上方部分に設けられている。
【００１２】
壁部２を構成する複数の縦芯材２２における隣接する縦芯材２２，２２間には、図５〜図９に示すように、縦方向に踏板３の板厚に対応して離間した一対の支持部材（上方の第１支持部材２４、下方の第２支持部材２５）が、踏板支持体４（詳細は後述）に対応して設けられている。
【００１３】
尚、本明細書における階段構造の各構成部材の説明においては、図５〜図９に示すように、踏板３が延出する方向の水平方向を「Ｘ方向」、階段を昇る方向の水平方向を「Ｙ方向」、鉛直方向（縦方向）を「Ｚ方向」という。
また、各構成部材におけるＸ方向の長さ、Ｙ方向の長さ及びＺ方向の長さを、それぞれ「長さ」、「幅」及び「厚さ」という。ただし、Ｚ方向の長尺物である縦芯材２２及び縦支持体４１（後述）においては、Ｚ方向の長さ、Ｘ方向の長さ及びＹ方向の長さを、それぞれ「長さ」、「幅」及び「厚さ」という。
【００１４】
上方の第１支持部材２４は、図５〜図８に示すように、平面視で矩形の板材で、そのＹ方向両端部が、それぞれ隣接する縦芯材２２，２２の対向面にクギ又はボルト（図示せず）で固定されている。第１支持部材２４の幅（Ｙ方向）は、図６及び図８に示すように、隣接する縦芯材２２，２２の対向面の間隔（Ｙ方向）と略同じであり、第１支持部材２４の長さ（Ｘ方向）は、図７及び図８に示すように、縦芯材２２の幅（Ｘ方向）と略同じである。
【００１５】
下方の第２支持部材２５は、図５〜図９に示すように、平面視で略矩形の板材で、第２支持部材２５の一端部２５Ａは、平面視で、幅方向（Ｙ方向）一端部が凹んた略Ｌ字形状となっている。
第２支持部材２５の一端部２５Ａの幅（Ｙ方向）は、図８に示すように、第１支持部材２４の幅（Ｙ方向）と略同じ、即ち、隣接する縦芯材２２，２２の対向面の間隔（Ｙ方向）と略同じになっている。第２支持部材２５の一端部２５Ａは、第１支持部材２４と同様に、縦芯材２２，２２の対向面にクギ又はボルト（図示せず）で固定されている。
【００１６】
第２支持部材２５の他端部２５Ｂは、図５及び図７〜図９に示すように、縦芯材２２からＸ方向に延出している。第２支持部材２５の他端部２５Ｂ側の幅（Ｙ方向）は、図６、図８及び図９に示すように、隣接する縦芯材２２，２２の対向面の間隔（Ｙ方向）よりも広く、第２支持部材２５の他端部２５Ｂの幅方向（Ｙ方向）上段側の端部は、上段側の縦芯材２２の外面と略一致し、第２支持部材２５の他端部２５Ｂの幅方向（Ｙ方向）下段側の端部は、下段側の縦芯材２２の対向面と一致している。
【００１７】
第２支持部材２５の一端部２５Ａの幅方向（Ｙ方向）両端部それぞれの下面側には、図５〜図７及び図９に示すように、縦芯材２２に平行に且つその対向面に当接して、補助支持部材２６，２６が設けられている。補助支持部材２６は、第２支持部材２５と下芯材２３との間で挟持されており、第２支持部材２５を下方から補強している。
【００１８】
次に、踏板支持体４について詳述する。踏板支持体４は、図５に示すように、縦支持体４１、下支持体４２及び第２支持部材２５を主体として構成されている。
縦支持体４１，４１は、図５〜図７及び図９に示すように、第２支持部材２５の他端部２５Ｂの幅方向（Ｙ方向）両端部それぞれの下面側に、縦芯材２２又は補助支持部材２６に平行して設けられている。縦支持体４１の下端は、縦支持体４１の配列方向（Ｙ方向）に亘る下支持体４２により連結されている。下支持体４２は、床面Ｆに直接的又は他の部材を介して間接的に支持された部材である。つまり、縦支持体４１は、第２支持部材２５と下支持体４２との間で挟持され、踏板支持体４は、その下端が床面Ｆで支持されている。
【００１９】
踏板３は、図６〜図９に示すように、平面視で略矩形の板状部材であり、木製でも金属製でも両者を組み合わせたものでもよいが、本実施形態においては、木製である。木製の踏板３は、例えば、無垢の一枚板、合板、集成材等から形成される。
踏板３の長さ（Ｘ方向）は、階段の目的、踏板３自体の強度、踏板支持体４により得られる踏板３の支持強度等に応じて適宜設定されるが、例えば、６０ｃｍ〜１５０ｃｍである。
【００２０】
踏板３の一端部３１は、図３に示すように、壁部２に埋設固定される部分であり、図８及び図９に示すように、平面視で、幅方向（Ｙ方向）両端部が凹んでおり、幅方向（Ｙ方向）中央部が他端部３２から一端部３１に向けて（Ｘ方向に）凸になっている。
一端部３１の幅（Ｙ方向）は、図８に示すように、隣接する縦芯材２２，２２の対向面の間隔と略同じとなっている。踏板３の他端部３２側の幅（Ｙ方向）は、図６、図８及び図９に示すように、隣接する縦芯材の２２，２２の対向面の間隔（Ｙ方向）よりは広く、隣接する縦芯材２２，２２の外面の間隔（Ｙ方向）よりは狭くなっている。
また、踏板３の厚さ（Ｚ方向）は、図６及び図７に示すように、一対の第１支持部材２４，第２支持部材２５の対向面の間隔（Ｚ方向）と略同じとなっている。
【００２１】
上述のように構成された踏板３は、図５〜図９に示すように、その一端部３１が隣接する縦芯材２２及び２２並びに一対の第１支持部材２４及び第２支持部材２５で包囲されてなる矩形の孔部に挿入され、一端部３１の幅方向（Ｙ方向）両端部が、隣接する縦芯材２２，２２の対向面に挟持されると共に、一端部３１の厚さ方向（Ｚ方向）両端部が、一対の第１支持部材２４，第２支持部材２５に挟持される。そして、図７に示すように、一端部３１を含む全長Ｌ０の１／２以内の部分が第２支持部材２５に載置される。ここで、踏板３の一端部３１は、図７に示すように、縦芯材２２、第１支持部材２４及び第２支持部材２５とＸ方向に略面一になっている。このように挿入、載置された踏板３は、通常の手段により縦芯材２２、第１支持部材２４、第２支持部材２５等に固定される。
【００２２】
そして、複数個の踏板３それぞれは、図３〜図５及び図７に示すように、壁部２の壁面２１の外側の位置で且つ踏板３の一端部３１から他端部３２方向（Ｘ方向）に踏板３の全長Ｌ０の１／２以内の位置で、踏板支持体４により下方から支持されている。つまり、縦支持体４１は、第２支持部材２５を介して、踏板３における一端部３１と他端部３２との間の一部の領域を支持している。
【００２３】
壁部２及び踏板支持体４により踏板３を支持する長さ〔本実施形態においては、踏板３の一端部３１と、壁面２１に対し踏板支持体４における反対側の面４Ａとの長さ〕Ｌ１（図７参照）は、階段構造１の美観性（すっきり感）及び踏板支持体４による踏板３の支持強度を勘案すると、踏板３の全長Ｌ０の１／２以下、好ましくは１／４〜１／２、更に好ましくは１／４〜１／３である。
【００２４】
そして、本実施形態の階段構造１においては、踏板３が、図５に示すように、通常の階段構造と同様に階段状に複数個配設されている。また、図６に示すように、平面視で、上段の踏板３における下段側端部（段鼻部分）と、下段の踏板３における上段側端部とが重複している。
【００２５】
踏板３の他端部３２には、図１及び図２に示すように、手摺りＢが設けられている。手摺りＢがあることにより、安全性が向上し、階段を昇降し易くなる。
【００２６】
壁面２１に対し踏板支持体４における反対側の面４Ａ（図７参照）は、図１〜図４に示すように、壁面２１と平行に立設された第１被覆パネル５１により被覆されている。つまり、第１被覆パネル５１は、踏板支持体４を構成する縦支持体４１、下支持体４２及び第２支持部材２５における前記反対側の面４Ａを、それらの間の空間を含め完全に被覆している。
第１被覆パネル５１は、壁部２の壁面２１を形成する壁パネルと同様に、１枚の板材や、枠組に化粧板を貼り付けたもの等種々のものを用いることができる。
【００２７】
壁面２１と踏板支持体４との間に亘り踏板３とその下段の踏板３との間は、図３〜図６、図８及び図９に示すように、第２被覆パネル５２により被覆されている。具体的には、図５及び図６に示すように、第２被覆パネル５２は、通常の蹴込み板と同様に、上段の踏板３の下段側端部（段鼻部分）の下面から下段の踏板３の上段側端部側面に亘って設けられている。また、第２被覆パネル５２は、上段の第２支持部材２５の上段側端面にも当接しており、第２被覆パネル５２の上段側側面は、縦芯材２２の対向面と一致している。
【００２８】
上述のように構成された本実施形態の階段構造１によれば、踏板３がその一端部３１から他端部３２方向（Ｘ方向）にその全長の１／２以内の位置で、踏板支持体４により下方から支持されているため、踏板３における一端部３１のみならず、長さ方向（Ｘ方向）中央寄りの部分も支持することができ、間仕切り壁のように厚さの薄い壁部２に踏板３を片持ち状態で設ける場合にも、階段構造全体の強度を十分に確保することができると共に、階段構造全体の強度の視覚的な不足感による不安感が生じ難い。また、壁面２１に対し踏板支持体４における反対側の面４Ａが第１被覆パネル５１により被覆されているため、踏板支持体４が踏板３の下方部分から露出することがない。
【００２９】
また、上段の踏板３と下段の踏板３との間が第２被覆パネル５２により被覆されているため、その間から踏板支持体４が露出することがない。
更に、踏板３の一端部３１が、隣接する縦芯材２２，２２間に設けられた一対の支持部材２４，２５間に挟持固定されているため、踏板３の一端部３１を縦芯材２２に簡便な構成で強固に固定することができる。
また、踏板３の下方部分に開放した空間が形成されるため、この空間を様々な目的に利用することができ、この空間に光が差し込んで明るく採光性も良好である。
【００３０】
本発明の階段構造は、前述した実施形態に制限されることなく、本発明の趣旨を逸脱しない限り適宜変更が可能である。
本発明の階段構造は、木造住宅以外にも、木造、鉄骨等の様々な建物に設けることができる。
壁部は、踏板を片持ち状態で埋設固定することができるものであれば、間仕切り壁に制限されず、外壁（屋内と屋外とを仕切る壁）でもよい。
踏板は、壁部に埋設固定され、階段構造全体の強度が十分に得られるものであれば、その形状、構造等は、前記実施形態における踏板の形状、構造等に制限されない。
【００３１】
踏板支持体は、踏板を、壁部の壁面の外側の位置で且つ踏板の一端部から他端部方向に踏板の全長の１／２以内の位置で下方から支持することができるものであれば、前記実施形態における踏板支持体の構造に制限されない。
第１被覆パネルは、壁面と実質的に平行に立設されていれば、壁面に対し水平方向又は鉛直方向に多少（例えば１０度程度）傾いていてもよい。
上段の踏板と下段の踏板との間に、第２被覆パネル５２を延長した形で蹴込み板を設けてもよい。
【００３２】
踏板の一端部を壁部の縦芯材に固定する構造は、前記実施形態における縦方向に一対の支持部材間に挟持する構造に制限されず、例えば、一方の支持部材を省略した構造とすることができる。その場合には、ボルト等を用いて、踏板の一端部を一方の支持部材に結合すればよい。また、前記支持部材を用いずに、例えば、ボルト等を用いて、踏板の一端部を縦芯材に直接結合してもよい。
本発明の階段構造は、直階段に制限されず、例えば、折り返し階段、折れ曲がり階段、回り階段に適用することでき、踊り場にも適用することができる。
【図面の簡単な説明】
【００３３】
【図１】図１は、本発明の階段構造の一実施形態を斜め上方から見た斜視図である。
【図２】図２は、本発明の階段構造の一実施形態を斜め下方から見た斜視図である。
【図３】図３は、図１に示す階段構造の模式的斜視図である。
【図４】図４は、図３に示す模式的斜視図について踏板を省略した図である。
【図５】図５は、図３に示す模式的斜視図について壁パネル及び第１被覆パネルを省略した図である。
【図６】図６は、図５に示すVI矢視断面図である。
【図７】図７は、図６に示すVII−VII断面図である。
【図８】図８は、図６に示すVIII−VIII断面図である。
【図９】図９は、図６に示すIX−IX断面図である。
【符号の説明】
【００３４】
１  階段構造
２  壁部
２１  壁面
２２  縦芯材
２３  下芯材
２４  第１支持部材
２５  第２支持部材
２６  補助支持部材
３  踏板
３１  一端部
３２  他端部
４  踏板支持体
４１  縦支持体
４２  下支持体
５１  第１被覆パネル
５２  第２被覆パネル
Ｂ  手摺り
Ｆ  床面
【図１】
2006132240.tif 000003
【図２】
2006132240.tif 000004
【図３】
2006132240.tif 000005
【図４】
2006132240.tif 000006
【図５】
2006132240.tif 000007
【図６】
2006132240.tif 000008
【図７】
2006132240.tif 000009
【図８】
2006132240.tif 000010
【図９】
2006132240.tif 000011